(57)【要約】【課題】プロジェクタにおいて、光源の温度が上がりやすい部位を、効率良く冷却する。【解決手段】プロジェクタ１は、ランプボックス１２に収納された放電灯等の光源１１を備えている。光源１１は、バーナから出射された光を前方に反射するための反射面を有するリフレクタ１１ｂを有している。リフレクタ１１ｂの反射面の裏面には、樹脂コーティング膜が形成されている。ランプボックス１２には、冷却風が吹き込まれる。冷却風の一部は、板金製の導風部材１２ｃの導風部１２ｄによりリフレクタ１１ｂに向け誘導される。導風部１２ｄには、これと一体に、先端部近傍でリフレクタ１１ｂに接触する当接部１２ｅ，１２ｆが形成されている。リフレクタ１１ｂのうち当接部１２ｅ，１２ｆと当接する部位の熱は、当接部１２ｅ，１２ｆに拡散するので、光源１１は、導風部１２ｄにより誘導される冷却風とあわせ、効率良く冷却される。【選択図】図４
2007316333.tif 000002
【特許請求の範囲】
【請求項１】
筐体と、
前記筐体内部の前方に収納された箱体状のランプボックスで覆われた状態で配置されており、周囲に光を放射する発光部と、前記発光部から放射された光を所定の方向に集光するための反射面を構成するリフレクタとを有する光源と、
前記ランプボックスの外部の、前記光源から出射されて集光された光の光路上に設けられ、三原色に相当するカラーフィルタが所定角度ピッチで形成され、一定速度で回転するカラーホイールと、
前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に拡大投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
前記筐体内部で冷却風を発生させる冷却部とを備え、
前記リフレクタの前記反射面の裏面には、樹脂コーティング膜が形成されており、
前記冷却部は、前記筐体内部の空気を前記ランプボックス内に吹き込み、前記光源及びリフレクタを冷却するブロアファンを有しており、
前記ランプボックスの内部には、板金部材で形成され、前記ブロアファンから吹き込まれた冷却風の一部を、少なくとも前記リフレクタの前記樹脂コーティング膜が配されている部位に誘導するように形成された導風部を有する導風部材が設けられているプロジェクタにおいて、
前記導風部材は、導風部材と一体に、前記導風部から二股に分岐して延設された板状の当接部を有しており、
前記各当接部は、それぞれ、それらの先端部近傍で、前記樹脂コーティング膜の前記発光部に対応する部位近傍に接触することにより自然な状態から撓んだ状態で配置されており、かつ、それぞれ、前記導風部に接続された端部から前記樹脂コーティング膜に接触している部位に向けて前記冷却風の一部を誘導するような形状に形成されており、
それにより、前記光源の動作中に、前記樹脂コーティング膜の温度が上がりやすい部位の近傍に冷却風を当てると共に、その部位の熱を前記樹脂コーティング膜に接触している部位から前記当接部に拡散させて、前記光源を効率良く冷却可能に構成されていることを特徴とするプロジェクタ。
【請求項２】
筐体と、
周囲に光を放射する発光部と、前記発光部から放射された光を所定の方向に集光するための反射面を構成するリフレクタとを有する光源と、
前記光源から出射された光を用いて、外部から入力された映像信号に応じてスクリーン上に投影する光束を出射する映像形成部と、
前記映像形成部から出射された光束をスクリーン上に投影する投影レンズと、
前記光源及び映像形成部を含むプロジェクタ全体を制御する制御回路と、
前記制御回路を含むプロジェクタ各部に電力を供給するための電源回路と、
前記筐体内部で冷却風を発生させる冷却部と、
前記冷却部が発生した冷却風の一部を前記光源に向けて誘導する導風部材とを備えたプロジェクタにおいて、
前記導風部材には、その一端の近傍で前記リフレクタの前記反射面とは反対側の面の一部に接触する金属製の当接部が接続されていることを特徴とするプロジェクタ。
【請求項３】
前記当接部は、板金部材で形成されており、前記一端の近傍部位が前記リフレクタに接触することにより、自然な状態から撓んだ状態で配置されていることを特徴とする請求項２に記載のプロジェクタ。
【請求項４】
前記当接部は、前記導風部材により前記光源に向けて誘導される冷却風の一部を、前記リフレクタに接触する部位の近傍に向けて誘導する形状に形成されていることを特徴とする請求項２または請求項３に記載のプロジェクタ。
【発明の詳細な説明】
【技術分野】
【０００１】
本発明は、前方に配置されたスクリーン上に映像を投影するプロジェクタに関する。
【背景技術】
【０００２】
従来より、例えばパーソナルコンピュータ等から出力される映像信号に基づいて、前方のスクリーンに映像を投影するプロジェクタにおいては、例えば放電ランプ等の光源が用いられている。このような光源の発光部は、発光に伴って熱を発生するので、高温になりすぎず適切な温度に保たれるように、例えばブロアファン等による冷却風により冷却される。
【０００３】
ここで、このようなプロジェクタの光源は、発光した光を所定の方向に反射して出射させるためのリフレクタを有している。リフレクタとしては、例えば内面が鏡面となるように加工されたガラス製の部材であり、裏面に、割れを防止するために耐熱性のある樹脂コーティング膜が形成されているものが用いられている。この樹脂コーティング膜は、樹脂の中では比較的耐熱性があるものであるが、適用可能な温度範囲の上限は、高々２００℃乃至３００℃程度である。そのため、従来のプロジェクタにおいては、例えば、光源に向け送風される冷却風の向きを変更するための板金製の導風部材を設け、冷却風がリフレクタの裏面にも適切に当たるようにして、樹脂コーティング膜の過熱を防止し、溶融したりしないように構成されている。
【０００４】
ところで、上述のようにリフレクタの裏面を冷却する場合であっても、確実にリフレクタの裏面の温度を下げるためには、光源に向けて送風する冷却風の風量を増やすことが必要である。特に、リフレクタの発光部に近いネック部近傍は、特に温度が上がりやすい部位であり、この部位の樹脂コーティング膜の温度を適正な範囲内に確実に保つためには、冷却風の風量を多くしなければならない。しかしながら、冷却風の風量を増やすと、プロジェクタの消費電力が増大してしまい、また、ブロアファン等の大型化や動作音の増大を招き、プロジェクタを小型化できなくなったり、動作時の騒音が増大してしまうという問題がある。
【０００５】
なお、例えば、特許文献１には、光源ランプの外周面近傍の温度が所定の温度よりも高くなった場合に、放熱フィン部を光源ランプの外周面に密着させて光源ランプの熱を放熱するようにしたプロジェクタが記載されている。しかしながら、この特許文献１には、光源の発光部近傍のうち特に温度が高い部分の熱を放熱可能なものではなく、上述のような問題に対する解決策としては、不十分なものである。また、放熱フィン部は形状記憶合金であるので、材料コストが高くなり、プロジェクタの製造コストが増大してしまう。
【０００６】
また、特許文献２には、整流フィンを設けて冷却風を効率良く反射鏡へと導くことにより、光源ユニットの小型化、薄型化を図ったプロジェクタが記載されている。しかしながら、特許文献２には、上述のようにリフレクタの温度が上がりやすい部位を特に効率良く冷却可能なものは記載されておらず、上述の問題点を解決可能ではない。
【０００７】
そしてまた、特許文献３には、リフレクタに、熱を能動的に伝導するペルチエ素子等を取り付け、騒音を少なくし、また、ランプバルブを長寿命化したプロジェクタが記載されている。しかしながら、このようなペルチエ素子等を用いると、プロジェクタの製造コストが増大してしまうため、特許文献３に記載されている発明は、例えば安価なプロジェクタにおいて、上述の問題を解決するために必ずしも適用可能ではない。
【特許文献１】特開２００５−１５７０８３号公報
【特許文献２】特開２００５−６２３７６号公報
【特許文献３】特開２００２−３７３５２３号公報
【発明の開示】
【発明が解決しようとする課題】
【０００８】
本発明は、上記問題点を鑑みてなされたものであり、光源の温度が上がりやすい部位を、効率良く冷却することが可能なプロジェクタを提供することを目的とする。
【課題を解決するための手段】
【０００９】
上記目的を達成するため請求項１の発明は、筐体と、前記筐体内部の前方に収納された箱体状のランプボックスで覆われた状態で配置されており、周囲に光を放射する発光部と、前記発光部から放射された光を所定の方向に集光するための反射面を構成するリフレクタとを有する光源と、前記ランプボックスの外部の、前記光源から出射されて集光された光の光路上に設けられ、三原色に相当するカラーフィルタが所定角度ピッチで形成され、一定速度で回転するカラーホイールと、前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に拡大投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、前記筐体内部で冷却風を発生させる冷却部とを備え、前記リフレクタの前記反射面の裏面には、樹脂コーティング膜が形成されており、前記冷却部は、前記筐体内部の空気を前記ランプボックス内に吹き込み、前記光源及びリフレクタを冷却するブロアファンを有しており、前記ランプボックスの内部には、板金部材で形成され、前記ブロアファンから吹き込まれた冷却風の一部を、少なくとも前記リフレクタの前記樹脂コーティング膜が配されている部位に誘導するように形成された導風部を有する導風部材が設けられているプロジェクタにおいて、前記導風部材は、導風部材と一体に、前記導風部から二股に分岐して延設された板状の当接部を有しており、前記各当接部は、それぞれ、それらの先端部近傍で、前記樹脂コーティング膜の前記発光部に対応する部位近傍に接触することにより自然な状態から撓んだ状態で配置されており、かつ、それぞれ、前記導風部に接続された端部から前記樹脂コーティング膜に接触している部位に向けて前記冷却風の一部を誘導するような形状に形成されており、それにより、前記光源の動作中に、前記樹脂コーティング膜の温度が上がりやすい部位の近傍に冷却風を当てると共に、その部位の熱を前記樹脂コーティング膜に接触している部位から前記当接部に拡散させて、前記光源を効率良く冷却可能に構成されているものである。
【００１０】
請求項２の発明は、筐体と、周囲に光を放射する発光部と、前記発光部から放射された光を所定の方向に集光するための反射面を構成するリフレクタとを有する光源と、前記光源から出射された光を用いて、外部から入力された映像信号に応じてスクリーン上に投影する光束を出射する映像形成部と、前記映像形成部から出射された光束をスクリーン上に投影する投影レンズと、前記光源及び映像形成部を含むプロジェクタ全体を制御する制御回路と、前記制御回路を含むプロジェクタ各部に電力を供給するための電源回路と、前記筐体内部で冷却風を発生させる冷却部と、前記冷却部が発生した冷却風の一部を前記光源に向けて誘導する導風部材とを備えたプロジェクタにおいて、前記導風部材には、その一端の近傍で前記リフレクタの前記反射面とは反対側の面の一部に接触する金属製の当接部が接続されているものである。
【００１１】
請求項３の発明は、請求項２の発明において、前記当接部は、板金部材で形成されており、前記一端の近傍部位が前記リフレクタに接触することにより、自然な状態から撓んだ状態で配置されているものである。
【００１２】
請求項４の発明は、請求項２又は請求項３の発明において、前記当接部は、前記導風部材により前記光源に向けて誘導される冷却風の一部を、前記リフレクタに接触する部位の近傍に向けて誘導する形状に形成されているものである。
【発明の効果】
【００１３】
請求項１の発明によれば、金属製の当接部が導風部材の導風部から延設されており、それらの先端部近傍で樹脂コーティング膜の発光部に対応する部位近傍に接触しているので、樹脂コーティング膜のうち、当接部との接触部位の熱が、当接部を介して導風部材に拡散する。従って、導風部により誘導される冷却風とあわせ、光源の温度が上がりやすい部位を効率良く冷却することが可能になる。当接部は、自然な状態から撓んだ状態となっているので、樹脂コーティング膜に確実に接触した状態に保たれ、確実に光源の熱を放熱することが可能である。また、当接部は、導風部に接続された端部から樹脂コーティング膜に接触している部位に向けて、冷却風の一部を誘導するような形状に形成されているので、光源の温度の上がりやすい部位をより効率良く冷却することが可能であると共に、樹脂コーティング膜の当接部との当接部位とその周辺部位との温度差が小さくなり、リフレクタにクラックが生じたりすることが防止される。さらにまた、当接部は、導風部材と一体の板金部材により形成されているので、部品点数は増加せず、プロジェクタの製造コストは従来のものと比べてほとんど増加しない。むしろ、冷却風の風量を増やさなくてもよいので、ブロアファンの消費電力が増大せず、ブロアファン等の大型化や動作音の増大を招くこともなく、プロジェクタを小型化、静音化することができる。
【００１４】
請求項２の発明によれば、導風部材に、リフレクタに接触する金属製の当接部が接続されているので、リフレクタの当接部との接触部位の熱が当接部に拡散する。従って、導風部材により誘導される冷却風とあわせ、光源の温度の上がりやすい部位を、効率良く冷却することが可能になる。
【００１５】
請求項３の発明によれば、当接部は、板金形状で形成されており、リフレクタに接触して撓んだ状態で配置されているので、当接部の一端部がリフレクタに確実に接触した状態に保たれ、確実に光源の熱を放熱することが可能になる。
【００１６】
請求項４の発明によれば、当接部は、導風部材により光源に向けて誘導される冷却風の一部を、リフレクタに接触する部位の近傍に向けて誘導する形状に形成されているので、リフレクタのうち当接部が接触する部位の近傍をより効率良く冷却することが可能であり、また、リフレクタの当接部との当接部位とその周辺部位との温度差が小さくなってリフレクタの破損等を防止することができる。
【発明を実施するための最良の形態】
【００１７】
以下、本発明の一実施形態について図面を参照しつつ説明する。図１は、本発明に係るプロジェクタの一例を示し、図２は、プロジェクタ１の回路構成を示す。このプロジェクタ１は、パーソナルコンピュータやビデオカメラ等から入力された映像信号（画像データ）を用いて映像を形成し、前方に設けられたスクリーンに拡大投影する装置である。図１に示すように、プロジェクタ１は、おおまかに、筐体２の前方側に配置され、外部から入力された映像信号を用いて映像を形成し、前方のスクリーンに拡大投影する光学エンジン１０と、筐体２の後方側に配置され、外部から入力された映像信号を処理して光学エンジン１０を制御する制御部２０とを備えている。
【００１８】
図１に示すように、光学エンジン１０は、例えば放電ランプ等の光源１１と、光源１１から出射された光の光路上に設けられ、三原色に相当するカラーフィルタが所定角度ピッチで形成され、一定速度で回転するカラーホイール１３と、カラーホイール１３を一定速度で回転させるモータ１４と、カラーホイール１３を挟んで光源に対向するように設けられ、所定の内径を有する光トンネル１５と、光トンネルを透過した光束を所定方向に反射するミラー１６と、光トンネル１５及びミラー１６を介して、カラーホイール１３を透過した光束の光路上に設けられ、二次限的に配列された微小ミラーの集合体であって、外部から入力された映像信号に応じて微小ミラーの角度を変化させ、カラーホイール１３を透過した光束を所定方向（第１の方向）と所定方向以外の第２の方向に反射させるＤＭＤ（デジタルマイクロミラーデバイス）１７と、ＤＭＤ１７に対して第１の方向に配置され、ＤＭＤ１７により反射された光束をスクリーン上に投影する投影レンズ１８等で構成されている。本実施形態において、カラーホイール１３、光トンネル１５、ミラー１６、及びＤＭＤ１７は、スクリーン上に投影する光束を出射する映像形成部１００として機能する。
【００１９】
光源１１は、周囲に光を放射するバーナ（発光部）１１ａと、バーナ１１ａから出射された光のうち後方に出射された光を前方に反射させると共に、所定の領域に集光させるリフレクタ１１ｂとを有している。光源１１は、図に示すように、筐体２の内部の前方に収納された箱体状のランプボックス１２に覆われており、光源ユニットとして独立したユニットとして構成されている。図中、光トンネル１５よりも左側は、迷光の影響を少なくするための暗箱ユニット１１０として形成され、暗箱ユニット１１０の内面は、反射光を吸収するように反射防止塗料が塗布されている。なお、図１において、筐体２の内部を光学エンジン１０側と制御部２０側を仕切るように描かれている仕切り板４は、実際にこのような仕切り板４が存在するのではなく、上記光源ユニット及び暗箱ユニットの筐体の壁を概略的に描いたものである。
【００２０】
リフレクタ１１ｂは、例えば回転楕円面状に形成されており、バーナ１１ａがその回転楕円面の一方の焦点近傍に配置され、カラーホイール１３の一部が回転楕円面の他方の焦点近傍に位置するように配置されている。リフレクタ１１ｂは、例えばガラス製であって、バーナ１１ａが設けられている側に、鏡面の反射面が形成され、その裏面には、リフレクタ１１ｂの割れ対策として樹脂コーティング膜が形成されている。光源１１は、バーナ１１ａの発光に伴って高温となるので、樹脂コーティング膜としては、例えば、樹脂の中では比較的耐熱性があるフッ素樹脂等が用いられている。なお、リフレクタ１１ｂは、ガラス以外の部材により構成されていたり、樹脂コーティング膜等が形成されていないものであってもよい。
【００２１】
一方、制御部２０は、映像信号を用いてＤＭＤ１７を駆動するＤＭＤ駆動回路（制御回路）２１と、プロジェクタ１の全体を制御する全体制御回路（制御回路）２２と、光源１１を駆動する光源駆動回路（制御回路）２３と、ＤＭＤ駆動回路２１、全体制御回路２２及び光源駆動回路２３を含むプロジェクタ１の各部に電力を供給するための電源回路２４と、少なくとも光源１１及び電源回路２４を冷却するための冷却風を発生させる冷却ファン（冷却部）３を有している。ＤＭＤ駆動回路２１及び全体制御回路２２は、例えばＣＰＵ、ＲＯＭ、ＲＡＭ等で構成されている。また、必要に応じて、ノイズ除去フィルタ等も設けられている。光源駆動回路２３は、放電ランプ等の光源１１を電力が一定となるように制御するためのインバータ回路であり、コイル、ダイオード、ＦＥＴ等で構成されている。放電ランプは、点灯開始直後、その温度が低く、電圧が低いため、電力が一定になるように制御すると大電流がランプに流れてしまい、ランプ寿命が低下するという問題を有している。そのため、光源駆動回路２３は、ランプ点灯開始から一定時間、ランプに流れる電流を制限するウオーミングアップ動作を行う。電源回路２４は、例えば１００Ｖや２００Ｖ等の交流商用電源を入力として、例えば１２Ｖや２４Ｖ等の直流電圧電源を発生させる回路であり、コイル、ダイオード、ＦＥＴ等で構成されている。
【００２２】
本実施形態において、プロジェクタ１は、冷却ファン３として、換気ファン３ａとブロアファン３ｂとを有している。図１に示すように、換気ファン３ａは、筐体２の外部から筐体２の内部に空気を取り入れて、光源１１、光源駆動回路２３、電源回路２４等の熱源から発生される熱を吸収し、温度が上昇した熱風を筐体２の外部に排気させるものである。図１に示す構成では、換気ファン３ａにより発生された冷却風の一部を光学エンジン１０側に導入すると共に、冷却風の残りを制御部２０側に導入している。ブロアファン３ｂは、ランプボックス１２の傍に配置されており、筐体内部の空気を集め、ランプボックス１２に接続されたダクトを通してランプボックス１２内に冷却風を吹き込むものである。すなわち、動作時の温度が他の部材と比較して特に高くなる光源１１は、このブロアファン３ｂにより吹き込まれた冷却風により冷却される。このようにブロアファン３ｂによりランプボックス１２の内部に吹き込まれた冷却風は、光源１１を冷却した後にランプボックス１２から排気された後、換気ファン３ａにより筐体２の外部に排気される。
【００２３】
図３は、このプロジェクタ１の光源１１を示す。上述したように、光源１１は、ランプボックス１２の内部に収納されている。このプロジェクタ１では、ランプボックス１２の光源１１の前面側の面には、ブロアファン３ｂのダクトが接続された流入口１２ａが形成されており、光源１１の背面側の面には、ランプボックス１２内の空気の排気口１２ｂが形成されている。すなわち、ブロアファン３ｂから吹き込まれる冷却風は、図の矢印で示すように、流入口１２ａからランプボックス１２内に流入し、光源１１の熱を吸収した後、さらに流入口１２ａから冷却風が流入することにより、排気口１２ｂからランプボックス１２外に排気されるように構成されている。
【００２４】
ここで、このプロジェクタ１では、ランプボックス１２の内部に導風部材１２ｃが配置されている。導風部材１２ｃは、図３に示すように、一枚の薄鉄板を折り曲げることにより形成された板金部材であり、流入口１２ａから流入する冷却風の一部が当たるような位置に配置されている導風部１２ｄと、導風部１２ｄから二股に分岐するように延設された板状の当接部１２ｅ，１２ｆを有している。
【００２５】
導風部１２ｄは、流入口１２ａから流入する冷却風の風向に対して所定の角度をなすように配置されており、導風部１２ｄに当たった冷却風の風向を変更することにより、その冷却風を、リフレクタ１１ｂの裏面の樹脂コーティング膜が配されている部位に誘導するように構成されている。すなわち、冷却風の一部が導風部１２ｄにより誘導されて樹脂コーティング膜が配されている部位に当たることにより、ランプボックス内の他の部材よりも比較的耐熱性の低い樹脂コーティング膜の周辺を効率良く冷却できるように構成されている。
【００２６】
当接部１２ｅ，１２ｆは、その導風部１２ｄに接続された部位から延設された先端部の近傍部位が、それぞれ、リフレクタ１１ｂの樹脂コーティング膜が配されている部位の上方及び下方に接触するようにして配置されている。図４（ａ）、（ｂ）は、光源１１の当接部１２ｅ，１２ｆを示す。図４（ａ）において、バーナ１１ａから出射される光の光路を２点鎖線の矢印で示し、図４（ｂ）において、光源１１は点線で示す。図４（ａ）に示すように、当接部１２ｅ，１２ｆは、リフレクタ１１ｂのうち、バーナ１１ａの近くの部位で、バーナ１１ａから放射される熱が伝わり高温になりやすい部位である、いわゆるネック部近傍に接触するように構成されている。すなわち、本実施形態において、リフレクタ１１ｂの樹脂コーティング膜のうち当接部１２ｅ，１２ｆとの当接部が高温になっても、その付近の熱は、当接部１２ｅ，１２ｆに拡散されて放熱されるように構成されている。
【００２７】
ここで、例えば図４（ｂ）に示すように、当接部１２ｅ，１２ｆは、略帯形状に形成されており、先端部がリフレクタ１１ｂのネック部近傍に接触するようにして導風部材１２ｃが配置された状態で、自然な状態から反って撓んだ状態となっている。このように、当接部１２ｅ，１２ｆは、撓んで復元力を有する状態で配置されているので、リフレクタ１１ｂに確実に接触した状態で保たれるように構成されている。また、図３に示すように、当接部１２ｅ，１２ｆは、導風部１２ｄから延設された部位が略帯形状であり、導風部１２ｄからリフレクタ１１ｂの樹脂コーティング膜と接触している部位に向けて、導風部１２ｄにより誘導される冷却風の一部を誘導するような形状に構成されている。これにより、図４（ｂ）の矢印で示すように、導風部１２ｄから樹脂コーティング膜に誘導される冷却風の一部が、樹脂コーティング膜と当接部１２ｅ，１２ｆとの接触点の近傍部位に当たるように構成されている。
【００２８】
このように、本実施形態においては、リフレクタ１１ｂの樹脂コーティング膜のうち当接部１２ｅ，１２ｆとの接触部位の熱が当接部１２ｅ，１２ｆに拡散するように構成されているので、導風部１２ｄにより誘導される冷却風とあわせ、光源１１の温度の上がりやすい部位を効率良く冷却することが可能になる。当接部１２ｅ，１２ｆは、上述のように樹脂コーティング膜に確実に接触した状態に保たれるので、確実に光源１１の熱を放熱することが可能になる。また、当接部１２ｅ，１２ｆにより冷却風の一部が誘導されるように構成されているので、光源１１の温度の上がりやすい部位をより効率良く冷却することが可能であると共に、樹脂コーティング膜の当接部１２ｅ，１２ｆとの接触部とその周辺部位との温度差が小さくなり、リフレクタ１１ｂにクラック等が生じたりすることが防止される。さらにまた、当接部１２ｅ，１２ｆは、導風部材１１ｃと一体の板金部材により形成されているので、プロジェクタ１の部品点数が多くなることがなく、プロジェクタ１プロジェクタの製造コストは従来のものと比べてほとんど増加しない。そして、冷却風の風量を増やさなくてもよいので、ブロアファン３ｂの消費電力が増大せず、ブロアファン３ｂ等の大型化や動作音の増大を招くこともなく、プロジェクタ１を小型化、静音化することができる。
【００２９】
なお、本発明は上記実施形態の構成に限定されるものではなく、発明の趣旨を変更しない範囲で適宜に種々の変形が可能である。例えば、映像形成部は、カラーホイール１３及びＤＭＤ１７を用いて映像を形成するものに限られず、光源から出射された光を、３原色別に配置された液晶パネル等に透過させた後に合成することにより映像を形成するようなものであってもよい。また、当接部の数、形状、構成等も上述に限られるものではなく、例えば、当接部は、導風部材とは別体に形成され、溶接等により互いに接続されて構成されていてもよい。さらにまた、プロジェクタは、ブロアファンを有さず、例えば、導風部材が、換気ファンの発生する冷却風の一部をそのまま光源に誘導するように構成されていてもよい。
【００３０】
すなわち、本発明においては、導風部材に、リフレクタの反射面とは反対側の面の一部に接触するような当接部を接続することにより、導風部によりリフレクタに誘導される冷却風による放熱効果とあわせ、リフレクタの熱を当接部に拡散させることができ、光源の温度が上がりやすい部位を効率良く冷却することが可能となる。
【図面の簡単な説明】
【００３１】
【図１】本発明の一実施形態に係るプロジェクタの構成を示す平面断面図。
【図２】上記プロジェクタの回路構成を示すブロック図。
【図３】上記プロジェクタの光源ユニットの構成を示す斜視図。
【図４】（ａ）は上記プロジェクタの光源と当接部とを示す側断面図、（ｂ）はその当接部を上方から見たときの（ａ）のＡ−Ａ線における断面図。
【符号の説明】
【００３２】
１  プロジェクタ
２  筐体
３  冷却部
３ｂ  ブロアファン
１１  光源
１１ａ  バーナ（発光部）
１１ｂ  リフレクタ
１２  ランプボックス
１２ｃ  導風部材
１２ｄ  導風部
１２ｅ，１２ｆ  当接部
１３  カラーホイール
１７  ＤＭＤ（デジタルマイクロミラーデバイス）
１８  投影レンズ
２０  制御部
２１  ＤＭＤ駆動回路（制御回路）
２２  全体制御回路（制御回路）
２３  光源駆動回路（制御回路）
２４  電源回路
１００  映像形成部
【図１】
2007316333.tif 000003
【図２】
2007316333.tif 000004
【図３】
2007316333.tif 000005
【図４】
2007316333.tif 000006